(57)【特許請求の範囲】
【請求項１】
塵埃を吸い込むための電動送風機を備えた掃除機本体と、一端を掃除機本体に取り付け前記電動送風機に連通するホースと、前記ホースの他端に取り付け前記電動送風機に連通する手元ハンドルと、前記手元ハンドルに取り付け前記ホースに連通する延長管と、前記延長管に取り付ける吸込具とを備え、前記吸込具は、下面に吸込口を有し、前記吸込口内に塵埃を掻き上げるための回転ブラシと、前記回転ブラシを回転させるための駆動モーターを内臓し、前記吸込具本体の後方には接続部を設け、前記接続部は、前記吸込具本体との接続面と直交する軸回りに回動可能に取り付けられ、前記吸込具の長手方向の両側に略Ｌ字状に延びる腕部を有する第１の連結体と、前記第１の連結体の腕部に前記吸込具本体との接続面と平行に設けられた軸の回りを回動する第２の連結体とで構成し、かつ第１の連結体と第２の連結体とを可とう性を有する蛇腹ホースを介して連結し、前記蛇腹ホースは、前記蛇腹ホースの管方向に垂直な断面形状において、前記吸込具の長手方向に位置する両サイドを直線状とし、かつ、上下部分を円弧状とする小判型形状とすると共に、前記上下部分の肉厚を薄くし、前記両サイドの肉厚を厚くした電気掃除機。
【発明の詳細な説明】
【０００１】
【発明の属する技術分野】
本発明は、使用者が手元ハンドルを操作することにより、簡単に吸込具の角度を任意に操作できる吸込具を備えた電気掃除機に関するものである。
【０００２】
【従来の技術】
従来、この種の電気掃除機に用いる吸込具は、図１６に示すように構成していた。以下、その構成について説明する。
【０００３】
図に示すように、吸込具本体１０１は、被掃除面付着した塵埃を遊離させる回転ブラシとその回転ブラシをベルトもしくはギア（図示せず）を介して回転させるための駆動モーター（図示せず）を内蔵し、後部に掃除機本体（図示せず）と吸込具本体１０１とを連通させる自在連結部１０２を連結している。自在連結部１０２は、回動部１０３とアーム部１０４とで構成されており、回動部１０３とアーム部１０４との間で回動自在に連結されている。また、回動部１０３は吸込具本体１０１に軸支され、垂直方向に傾動自在に連結されている。
【０００４】
上記構成において、自在連結部１０２に延長管、手元ハンドル及びホース（いずれも図示せず）を介して掃除機本体を連結し、吸込具本体１０１を被掃除面に沿って走行させて掃除を行う。このとき、机やベッドなどの障害物などの下を掃除する場合には、吸込具本体１０１を被掃除面においた状態で、手元ハンドルをひねり動作、すなわち、手元ハンドルの中心軸を中心として手元ハンドルを回動させることにより、回動部１０３とアーム部１０４との間で約９０度回動して、延長管を被掃除面に平行となる方向へ倒すことで、ベッドの下などの高さの狭い部分でも掃除することができる。
【０００５】
【発明が解決しようとする課題】
このような従来の構成では、延長管を被掃除面に平行となる方向へ倒した時、自在連結部０２のアーム部１０４が屈曲した形状のため、延長管の軸方向に対して吸込具本体１０１は傾いた状態で固定してしまい、延長管の軸方向に平行に前後方向の掃除操作をした場合、被掃除面に突っかかってしまいその操作性に欠けてしまうため、吸込具本体１０１を通常の操作方向となるように延長管は斜めにした状態で操作するため、ベッドの下など高さの狭いところでも横幅の広い空間でないと延長管が入らないため、その操作範囲は限られた状態であった。
【０００６】
本発明は上記従来の課題を解決するもので、吸込具を被掃除面において状態で、手元ハンドルをひねり動作させることにより、吸込具を被掃除面に対して広範囲に回動できるようにして、特に、ベッドの下など高さの低い箇所で、かつ、横幅の狭い空間でも掃除操作ができるように、使い勝手を向上させるとともに、接続管より発生する騒音を低減させることを目的としている。
【０００７】
【課題を解決するための手段】
本発明は上記目的を達成するために、塵埃を吸い込むための電動送風機を備えた掃除機本体と、一端を掃除機本体に取り付け前記電動送風機に連通するホースと、前記ホースの他端に取り付け前記電動送風機に連通する手元ハンドルと、前記手元ハンドルに取り付け前記ホースに連通する延長管と、前記延長管に取り付ける吸込具とを備え、前記吸込具は、下面に吸込口を有し、前記吸込口内に塵埃を掻き上げるための回転ブラシと、前記回転ブラシを回転させるための駆動モーターを内臓し、前記吸込具本体の後方には接続部を設け、前記接続部は、前記吸込具本体との接続面と直交する軸回りに回動可能に取り付けられ、前記吸込具の長手方向の両側に略Ｌ字状に延びる腕部を有する第１の連結体と、前記第１の連結体の腕部に前記吸込具本体との接続面と平行に設けられた軸の回りを回動する第２の連結体とで構成し、かつ第１の連結体と第２の連結体とを可とう性を有する蛇腹ホースを介して連結し、前記蛇腹ホースは、前記蛇腹ホースの管方向に垂直な断面形状において、前記吸込具の長手方向に位置する両サイドを直線状とし、かつ、上下部分を円弧状とする小判型形状とすると共に、前記上下部分の肉厚を薄くし、前記両サイドの肉厚を厚くしたものである。
【０００８】
それにより、吸込具を被掃除面において状態で手元ハンドルをひねり動作させることにより、延長管を被掃除面に平行にして、かつ、吸込具本体と延長管とを平行にすることができ、机やベッドなどの障害物の下などで幅の狭い空間においても掃除することができるようになる。
【０００９】
【発明の実施の形態】
本発明の請求項１記載の発明は、塵埃を吸い込むための電動送風機を備えた掃除機本体と、一端を掃除機本体に取り付け前記電動送風機に連通するホースと、前記ホースの他端に取り付け前記電動送風機に連通する手元ハンドルと、前記手元ハンドルに取り付け前記ホースに連通する延長管と、前記延長管に取り付ける吸込具とを備え、前記吸込具は、下面に吸込口を有し、前記吸込口内に塵埃を掻き上げるための回転ブラシと、前記回転ブラシを回転させるための駆動モーターを内臓し、前記吸込具本体の後方には接続部を設け、前記接続部は、前記吸込具本体との接続面と直交する軸回りに回動可能に取り付けられ、前記吸込具の長手方向の両側に略Ｌ字状に延びる腕部を有する第１の連結体と、前記第１の連結体の腕部に前記吸込具本体との接続面と平行に設けられた軸の回りを回動する第２の連結体とで構成し、かつ第１の連結体と第２の連結体とを可とう性を有する蛇腹ホースを介して連結し、前記蛇腹ホースは、前記蛇腹ホースの管方向に垂直な断面形状において、前記吸込具の長手方向に位置する両サイドを直線状とし、かつ、上下部分を円弧状とする小判型形状とすると共に、前記上下部分の肉厚を薄くし、前記両サイドの肉厚を厚くしたものであり、第１の連結体に対して回動自在な第２の連結体を接続し、さらに、第２に連結体に接続した延長管を介して手元ハンドルのひねり動作を吸込具に伝えるので、手元ハンドルのひねり動作により延長管が回動するとともに、延長管と第１の連結体とのなす角度が変わる。延長管の回動については第１の連結体の回動により吸込具本体の下面が被掃除面に向いた状態を維持し、延長管と第１の連結体とのなす角度の変化は第２の連結体が回動するので、同様に吸込具本体の下面が被掃除面に向いた状態を維持することができる。
【００１０】
しかも、延長管と第１の連結体とのなす角度が変化するように第２の連結体を回動自在にしたことにより、吸込具本体を大きく回動することができ、例えば、延長管の軸方向と吸込具本体の長手方向（左右方向）をほぼ平行にすることができる。この場合、第２の連結体の回動範囲は吸込具本体の被掃除面においた状態で、少なくとも鉛直状態まで傾動できるようにしておく必要があり、また、延長管の軸方向を被掃除面と平行にするためには、吸込具本体を被掃除面においた状態で少なくとも水平状態まで回動できるようにしておく必要があり、さらに、延長管の軸方向と吸込具本体の長手方向（左右方向）をほぼ平行にし、かつ延長管の軸方向を被掃除面と平行にするためには、第１の連結体の回動範囲を、手元ハンドルにひねりを加えていない状態から左右に９０度以上回動できるようにしておく必要がある。この回動範囲であれば、種々の掃除使用形態に対応させて吸込具の向きを変更したり、延長管と被掃除面とを平行にすることができ、ベッドの下など高さの低い箇所でかつ幅の狭い空間においても掃除操作ができ使い勝手がよくなる。また、両サイドの肉厚を厚くしているためその分、蛇腹ホースの剛性はＵＰし、掃除中、吸込具の吸込口部分で布等がつまり管内の真空圧が高まった場合、蛇腹ホースの上下部分で幾分へこみが生じても、両サイドではその剛性によりへこみは生じないため蛇腹ホース内の空気通路が塞がることはない。
【００１１】
【実施例】
以下、本発明の実施例について、図面を参照しながら説明する。
【００１２】
（実施例１）
図１〜６に示すように、掃除機本体１は、内部に塵埃を集塵する集塵室２と電動送風機３を備えており、この掃除機本体１の集塵室２に連通するようにホース４の一端を接続している。ホース４の他端には上方に握り部となる手元ハンドル５を設けたパイプ６を取り付けている。手元ハンドル５を備えたパイプ６に連通するように延長管７の一端をパイプ６に接続し、延長管７の他端に吸込具８を取り付けている。
【００１３】
また、電動送風機３の排気を吸込具８に導入する排気通路を吸引通路とは別に、ホース４、手元ハンドル５を備えたパイプ６、延長管７に形成した環流式電気掃除機にも本発明は適用できるものである。
【００１４】
吸込具８は、図に示すように前後の長さが左右の長さよりも短い吸込具本体９と、この吸込具本体９の後方に設け、延長管７を接続する接続部１０よりなり、吸込具本体９の下面の略中央に吸込口１１を設け、この吸込口１１は吸込具本体９の下面にその長手方向に延びる吸塵通路１２と連通している。また、吸塵通路１２内に塵埃を掻き上げるための回転ブラシ１３を設け、吸込具本体９内に配した駆動モーター１４よりベルト（図示せず）を介して回転力を伝達している。
【００１５】
吸込具本体９の下面前方の両側に起毛布１５を貼り付けており、下面後方には後ろローラー１６を回転自在に取り付けている。
【００１６】
接続部１０は、図に示すように、吸込具本体９との接続面に対して回動可能に取り付けた第１の連結体１７と、この第１の連結部材１７に対して傾動可能に取り付けた第２の連結体１８とで構成し、第１の連結体１７と第２の連結体１７とを可とう性と有する接続管を構成する蛇腹ホース１９を介して、連結している。
【００１７】
吸込具本体９は、上部材２０と下部材２１とで外郭を構成し、下部材２１の下面に設けた吸込口１１と吸込具本体９後方の接続部１０とを連通する吸込通路２２を形成するため、下部材２１と上部材２０との間に中間部材２３を配し、中間部材２３と下部材２１とで囲まれる空間が吸込通路２２となる。
【００１８】
接続部１０が接続される吸込具本体９の後方には、吸込通路２２の出口を設け、この出口には上部材２０と下部材２１で形成される回動受け部２４が位置している。この回動受け部２４は吸込通路２２の出口より径大な環状溝部により形成している。
【００１９】
第１の連結部材１７には、図に示すように、回動受け部２４の環状溝に嵌合する環状溝を周囲に設けたドーナツ状の回動部材２５を設けている。このように回動受け部２４の溝と回動部材２５の溝とを嵌合することでラビリンス構造を形成し、回動部分における気密性を確保しつつ連結している。
【００２０】
回動部材２５の開口部には蛇腹ホース１９の一端が連結され、吸込通路２２の出口と蛇腹ホース１９の一端が連通される。蛇腹ホース１９の他端には第２の連結体１８に固定した連結部２６に接続している。さらに、蛇腹ホース１９の両端には曲がり部２７ａ、２７ｂを設けており、図に示すように接続部１０は第１の連結体１７と蛇腹ホース１９の接続部２７ａ、第２の連結部材１８と蛇腹ホース１９の接続部２７ｂ部分で屈曲させており、第２の連結体１８の傾動角度の中間付近で傾くように構成している。
【００２１】
第１の連結体１７の一部を構成する回動部材２５には、両側方向に略Ｌ字状の腕部２８が延び、この腕部２８には第２の連結体１７を傾動軸２９を構成し、第２に連結体１８を構成する上カバー体３０と下カバー体３１とに設けた傾動受け部３２で傾動軸２９を挟み込むことで傾動自在に連結しており、また、蛇腹ホース１９と接続している連結部２６も上カバー体３０と下カバー体３１とで挟み込むことで固定している。ここで、連結部２６を固定する際に、蛇腹ホース１９を幾らか縮めるようにして連結部２６を固定させている。
【００２２】
蛇腹ホース１９の管方向に垂直な断面形状において、上及び下部分は円弧状としているのに対して、両サイドは直線状とした小判型形状にしており、第２の連結体１８を構成する上カバー体３０、下カバー体３１には蛇腹ホース１の両サイドの直線部分に平行に蛇腹ホース１９の傾動に支障の起こらない範囲で隙間を設けて壁を左右に設けている。
【００２３】
上記構成において動作を説明すると、掃除機本体１に通電すると、電動送風機３が回転し、吸込具本体９より吸い込んだ塵埃は、第１の連結体１７と第２の連結体１８を連結する蛇腹ホース１９を通り、連結部２６に接続した延長管７、ホース４を介して掃除機本体１に吸引される。
【００２４】
ここで、第１の連結体１７に対して傾動自在な第２の連結体１８を接続し、さらに第２の連結体１８に接続した延長管７を介して手元ハンドル５のひねり動作を吸込具８に伝えるので、手元ハンドル５のひねり動作、すなわち、手元ハンドル５の中心軸を中心として手元ハンドル５を回転させることにより、延長管７が回動するとともに、延長管７と第１の連結部材１７とのなす角度が変わる。
【００２５】
延長管７の回動については、第１の連結体１７の回動により吸込具本体９の下面が被掃除面に向いた状態を維持し、延長管７と第１の連結体１７とのなす角度の変化は第２の連結体１８が傾動するので、同様に吸込具本体９の下面が被掃除面に向いた状態を維持することができる。
【００２６】
しかも、延長管７と第１の連結体１７とのなす角度が変化するように第２の連結体１８を傾動自在にしたことにより、吸込具本体９を大きく回動することができ、たとえば、延長管７の軸方向と吸込具本体９の長手方向（左右方向）をほぼ平行にすることができる。
【００２７】
この場合、第２の連結体１８の傾動範囲は吸込具本体９を被掃除面においた状態で、少なくとも鉛直状態まで傾動できるようにしておく必要があり、また、延長管７の軸方向を被掃除面と平行にするためには、吸込具本体９を被掃除面においた状態で少なくとも水平状態まで傾動できるようにしておく必要があり、さらに、延長管７の軸方向と吸込具本体９の長手方向（左右方向）をほぼ平行にし、かつ、延長管７の軸方向を被掃除面に平行にするためには、第１の連結体１７の回動範囲を、手元ハンドル５にひねり動作を加えていない状態から左右に各々９０度以上回動できるようにしておく必要がある。
【００２８】
それにより、ベッドの下など高さの低い部分での掃除も、延長管７が被掃除面とほぼ平行となるまで低くすることができるために可能となり、また、吸込具本体９の長手方向（左右方向）に延長管７が平行となるため、幅の狭い空間においても掃除が可能となり広範囲に掃除が可能となる。
【００２９】
接続部１０は第２の連結体１８の傾動範囲において中間付近に位置させた状態に傾けているため傾動操作に対する蛇腹ホース１９の動きを最少にすることができ、また蛇腹ホース１９の両端に曲がり部２７ａ、２７ｂを設けているため、吸込具本体９の吸込口１１より延長管７の先端までをほぼ直線上に近づけているため、吸込み風をスムーズに流すことができ、また傾動動作においても、蛇腹ホース１９の蛇腹部分の湾曲が最少にすることができるため、蛇腹の凹凸部分への風の衝突は蛇腹ホース１９に曲がり部を設けずに湾曲している場合と比べ減少するため、凹凸部への風の衝突により発生する風切り音を減少させることができる。
【００３０】
また、蛇腹ホース１９を成形された状態（自然長）から圧縮した状態で組み立てているため図に示すように、蛇腹の凹凸部分の間隔が狭まり、凹凸部への空気の衝突により発生する風切り音が抑えられ、さらに騒音の低減を図ることができる。
【００３１】
蛇腹ホース１９部分において、ブロー成形において蛇腹ホースを形成する際に、蛇腹状に成形する前の管形状を肉厚を厚くする方向が長径となるようにした楕円形状にすることで、蛇腹状に膨らまして成形すると上下部分の肉厚に対して両側面の肉厚が厚くすることができるため、その分剛性がＵＰし、掃除中、吸込具８の吸込口１１部分で布等がつまり管内の真空圧が高まった場合、蛇腹ホース１９の上下部分で幾分へこみが生じても、両サイドではその剛性によりへこみは生じないため蛇腹ホース１９内の空気通路が塞がることはなく、蛇腹部分の形状が潰れて復帰しないといった掃除に支障をきたすような状態にはならない。
【００３２】
（実施例２）
次に本発明の第２の実施例を図７〜９を用いて説明する。なお、上記実施例と同一な構成部品については同一符号を付してその説明を省略する。
【００３３】
図において、手元ハンドル５内には電動送風機３の強／弱の切り替えスイッチ及び入り／切りのスイッチを行うための回路基板４６を収めており、手元部分でその切り替え操作を行うことができる。手元ハンドル５と掃除機本体１との間にはホース４によって連通させている。
【００３４】
ホース４には、手元ハンドル５内の回路基板４６もしくはその先に電源を供給するために、ホース４の内側にピアノ線３３をループ状にはわせ、そのピアノ線３３を通じて掃除機本体１より電源を手元ハンドル５及びその先に供給している。ホース４の外皮素材は掃除操作によって生じる繰り返しの屈曲にも絶える素材であり、またホース４が潰れないように、電源線として用いているピアノ線３３の剛性によって対応している。
【００３５】
ホース４の一端には、掃除機本体１と連結するための本体接続部３４を設けており、もう一方の手元ハンドル５との接続部３５においては、手元ハンドル５との接続面に対して回動可能に取り付けられる第１の連結体３６と、第１の連結体３６に対し傾動可能に取り付けた第２の連結体３７とで構成し、第１の連結体３６と第２の連結体３７とを可とう性を有する接続管を構成する蛇腹ホース３８を介して連結している。第１の連結体３６を構成する回動部材３９の開口部には蛇腹ホース３８の一端が連結され、蛇腹ホース３８の他端には第２の連結体３７に固定した連結部４０に接続し、さらに、その他端をホース４と接続している。蛇腹ホース３８の両端には曲がり部を設けており、図に示すように接続部３５は第１の連結体３６と蛇腹ホース３８の接続部近傍、第２の連結体３７と蛇腹ホース３８の接続部近傍の蛇腹ホース３８において屈曲部を設けており、第２の連結体３７の傾動角度の中間付近で傾くように構成している。
【００３６】
第１の連結体３６の一部を構成する回動部材３９には、実施例１で示した構成と同様、両側方向に略Ｌ字状の腕部４１が延び、この腕部４１には第２の連結体３７との傾動軸４２を構成し、第２に連結体３８を構成する上カバー体４３と下カバー体４４とに設けた傾動受け部４５で傾動軸４２を挟み込むことにより傾動自在に連結しており、また、蛇腹ホース３８と接続している連結部４０も上カバー体４３と下カバー体４４とで挟み込むことで蛇腹ホース３８及びホース４を固定している。
【００３７】
一般的に、ホース４と手元ハンドル５とは回動自在に連結されてはいるが、上述の通りホース４にはピアノ線３３がはわされており、またホース４の外皮は耐久性に持つ素材を用いているため幾分硬さがあり、前後方向への掃除操作において、また左右方向へ手元ハンドル部５を回転させる時においても、ホース４の硬さのためにその湾曲半径が大きくなり、そのため、その分モーメントが大きくなるので手元ハンドル５にかかる重量的負担は大きくなっていた。
【００３８】
しかし、上記構成にすることによって、手元ハンドル部５とホースとの接続部３５にホース４よりも柔らかく、またピアノ線３３もはわしていない蛇腹ホース３８を介し、第１の連結体３６と第２の連結体３７とで傾動自在に構成されているため、接続部３５での湾曲半径を小さくすることができその分手元ハンドル５にかかるモーメント力が小さくなるため、掃除操作における手元ハンドル５に掛かる負担は軽減され、使用性が向上される。
また、第１の連結体３６と第２の連結体３７との傾動軸４２の位置をホース４の下端位置よりも下に設けると、掃除機本体１の少なくとも後面の一部を床面に接するように掃除機本体１を略倒立させた状態にして、延長管７もしくは吸込具８に設けた係止部（図示せず）を掃除機本体１に設けた被係止部（図示せず）に係止させて延長管７が床面に対して略垂直となるようにし、ホース４から吸込具８までを掃除機本体１に取り付けた状態のままで縦方向にコンパクトに収納できるようにしたスタンド収納状態において、手元ハンドル５とホース４との接続部３５である蛇腹ホース部分３８は約１８０度、すなわち延長管７とホース４とをほぼ平行となるまで最少半径で湾曲するため、従来よりもホース４が膨れることなく、わざわざ延長管７にホース４を巻き付けずともホース４をコンパクトに収めることができ、収納性も向上する。
【００３９】
（実施例３）
次に本発明の第３の実施例を図１０、１１を用いて説明する。なお、上記実施例と同一な構成部品については同一符号を付してその説明を省略する。
【００４０】
図において、手元ハンドル５内には電動送風機３の強／弱の切り替えスイッチ及び入り／切りのスイッチを行うための回路基板４６を収めており、手元部分でその切り替え操作を行うことができ、手元ハンドル５と掃除機本体１との間にはホース４によって連通させている。
【００４１】
ホース４には、手元ハンドル内の回路基板４６もしくはその先に電源を供給するために、ホース４の内側にピアノ線３３をループ状にはわせ、そのピアノ線３３を通じて掃除機本体１より電源を手元ハンドル５及びその先に供給している。ホース４の外皮素材は掃除操作によって生じる繰り返しの屈曲にも絶えられる素材であり、またホース４が潰れないように、電源線として用いているピアノ線３３の剛性によっても対応しているため、その分、ホース４自体に剛性が生じてしまう。
【００４２】
ホース４の一端には、手元ハンドル５と連結するための接続部３５を設けており、もう一方の掃除機本体１との接続部４７においては、掃除機本体１と接続する第１の連結体５０と、第１の連結体５０に対し傾動可能に取り付けた第２の連結体５１とで構成し、第１の連結体５０と第２の連結体５１とを可とう性を有する接続管を構成する蛇腹ホース５２を介して連結している。回動管４９の開口部には蛇腹ホース５２の一端が連結され、蛇腹ホース５２の他端には第２の連結体５１に固定した連結部５３に接続し、さらに、その連結部５３の他端をホース４と接続している。
【００４３】
第１の連結体５０には、実施例１で示した構成と同様、両側方向に略Ｌ字状の腕部５４が延び、この腕部５４には第２の連結体５１との傾動軸５５を構成し、第２に連結体５１を構成する左カバー体５６と右カバー体５７とに設けた傾動受け部５８で傾動軸５５を挟み込むことにより傾動自在に連結しており、また、蛇腹ホース５２と接続している連結部５３も左カバー体５６と右カバー体５７とで挟み込むことで蛇腹ホース５２及びホース４を固定している。
【００４４】
一般的に、従来のホース４は、上述の通りホース４内部にピアノ線３３をはわしており、またホース４の外皮は耐久性に持つ素材を用いているためにホース４自体に幾分か硬さがあり、掃除機本体１を左右方向に向きを変える際においても、ホース４の硬さのため、湾曲させるための付加が大きく、そのため、手元ハンドル５に掛かる負担は大きくなっていた。
【００４５】
しかし、上記構成によって、ホース４と掃除機本体１との接続部４７は、ホース４よりも柔らかく、またピアノ線３３もはわしていない蛇腹ホース５２を介し、第１の連結体５０と第２の連結体５１とで傾動自在に構成されているため、接続部４７はホース４を湾曲させるよりも小さい力で湾曲させることができるため、掃除機本体１の方向を左右方向に向きを変える際の手元ハンドル５に掛かる負担は小さくなり、使用性が向上する。
【００４６】
（実施例４）
次に本発明の第４の実施例を図１２を用いて説明する。なお、上記実施例と同一な構成部品については同一符号を付してその説明を省略する。
【００４７】
図に示すように、吸込具本体９の後部に回動可能に取り付けられる第１の連結体１７とそれに連結した蛇腹ホース１９部分において、その内管部分にさらに薄肉で形成し、かつ一端にフランジ部５９を設けた直管のパイプ６０を第１の連結体１７の一端より組み込み、直管のパイプ６０の他端は第１の連結体１７と蛇腹ホース１９との接続部を越えた位置まで長く設け、かつ、蛇腹ホース１９の傾動動作に対し、中に組み込んだ直管のパイプ６０が干渉しないように図のように直管パイプ６０の軸方向に対して斜めにカットしている。それにより、組み込んだ直管パイプ６０のフランジ部５９を吸込具本体９と第１の連結体１７とで挟む構成となり、直管パイプ６０がはずれることはない。また、第２の連結体１８を約９０度の位置まで傾動させ蛇腹ホース１９が湾曲しても、図に示すとおり、蛇腹ホース１９内に組み込んだ直管パイプ６０が蛇腹部に当たることはない。
【００４８】
上記構成によって、吸込具本体９の下方向より吸い込まれてくる空気が略直角に曲げられて第１の連結体１７及び蛇腹ホース１９へと通過していく際に、蛇腹ホース１９の凹凸部分に衝突し音が発生するのに対し、その部分に直管のパイプ６０を組み込んだことで、上述の屈曲部分での蛇腹凹凸部分への空気の衝突による音の発生が起こらないため、騒音の低減が図れる。これは、蛇腹ホース１９と第１の連結体１７との連結部分において、蛇腹ホース１９側に幾分かストレートのパイプ部を設け、その後ろから蛇腹状の凹凸形状形成すれば同様の効果を得ることができるが、その場合、９０度までの傾動動作において、蛇腹の上側の凹凸部の潰れが大きく、傾動動作が堅くなってしまい、その使用性に支障をきたしてしまう。
【００４９】
また、図１３に示すように、蛇腹ホース１９内に蛇腹ホースの上半分の内面に沿うようにシート６１を湾曲させて組み込んだ場合でも、吸込具本体９の下方向より吸い込まれてくる空気が略直角に曲げられて第１の連結体１７及び蛇腹ホース１９へと通過していく際、第１の連結体１７と蛇腹ホース１９の接続部付近では、略直角に曲げられた空気は管内の上壁に沿うように流れていくため、直管パイプ６０と同様、蛇腹の凹凸部への衝突による風切り音の発生を抑えることができるため、騒音の低減を図ることができる。
【００５０】
この構成は、実施例２、３で述べたホース部の構成においても同様の効果を示し、また駆動モーターを内蔵しない吸込具本体においても同様の効果を示すことができる。
【００５１】
（実施例５）
次に本発明の第５の実施例を図１４を用いて説明する。なお、上記実施例と同一な構成部品については同一符号を付してその説明を省略する。
【００５２】
図に示すように、吸込具本体９との接続面に対して回動可能に取り付けた第１の連結体１７と、この第１の連結体１７に対して傾動可能に取り付けた第２の連結体１８とで構成し、第１の連結体１７と第２の連結体１８とを可とう性と有する接続管を構成する蛇腹ホース１９を介して連結している。
【００５３】
吸込具本体９は、下部材２１の下面に設けた吸込口１１と吸込具本体９後方の接続部１０とを連通する吸込通路２２を形成するため、下部材２１と上部材２０との間に中間部材２３を配し、中間部材２３と下部材２１とで囲まれる空間が吸込通路２２とし、中間部材２３と下部材２１とで構成される吸込出口の端面と第１の連結体１７を構成する回動部材２５端面とを当設させている。
【００５４】
回動部材２５の開口部には蛇腹ホース１９の一端が連結され、吸込通路２２の出口と蛇腹ホース１９の一端が連通される。蛇腹ホース１９の他端には第２の連結体１８に固定した連結部２６に接続している。
【００５５】
接続部１０内部に可とう性チューブ体６２を組み込み、一端を第１の連結体１７の回動部材２５で折り返し、吸込具本体９の中間部材２３と下部材２１とで構成される吸込通路２２出口の端面と回動部材２５との間に挟むように構成し、また、可とう性チューブ体６２の他端は、第２の連結体１８を構成し蛇腹ホース１９と接続された連結部２６の他端で折り返している。それにより組み込んだ可とう性チューブ体６２がはずれることはない。
【００５６】
上記構成によって、蛇腹ホース１９内に可とう性チューブ体６２を組み込むことにより凹凸部が無くなり、その凹凸部への衝突により発生した風切り音が抑えられ、騒音の低減を図ることができる。また、可とう性チューブ体６２は伸び縮みし易いため、蛇腹ホースの傾動動作に支障をきたさず蛇腹ホースの内壁に沿って伸縮する。
【００５７】
また、可とう性チューブ体６２の両端は、回動部でのエアータイト、及び延長管との接合部分でのエアータイトの役割を果たすため、隙間からの空気の漏れによる音の発生は起こらないため、さらに騒音の低減を図ることができる。
【００５８】
可とう性チューブ体６２の周囲に無数の孔を開けることで、蛇腹ホース１９と可とう性チューブ体６２との間の空気が引かれ、可とう性チューブ体６２が蛇腹ホース１９の内壁側に広げられ、可とう性チューブ体６２が密閉状態になることはない。
【００５９】
また、図１５に示すように、吸込風の流れに対し蛇腹ホース１９の内壁と衝突する部分に可とう性シート６３を蛇腹ホース１９の内壁に沿って部分的に上半分もしくは下半分の少なくとも一方に湾曲させて組み込み、その前後を蛇腹ホース１９の凸部にはまるリング６４で固定することにより、上述の可とう性チューブ体６２と同様の効果を得ることができる。
【００６０】
この構成は、実施例２、３で述べたホース部の構成においても同様の効果を示し、また駆動モーターを内蔵しない吸込具本体においても同様の効果を示すことができる。
【００６１】
【発明の効果】
請求項１記載の発明によれば、種々の掃除使用形態に対応させて吸込具の向きを変更したり、延長管と被掃除面とを平行にすることができ、また、吸込具本体の長手方向と延長管とを平行にすることができ、ベッドの下など高さの低い箇所でかつ幅の狭い空間においても掃除操作ができ使い勝手がよくなる。また、管内の真空圧が高まっても、蛇腹ホースの上下部分で幾分へこみが生じても、両サイドではその剛性によりへこみは生じないため蛇腹ホース内の空気通路が塞がることはない。
【図面の簡単な説明】
【図１】  本発明の実施例１を示す電気掃除機の斜視図
【図２】  同電気掃除機の吸込具の下面図
【図３】  図２のＡ−Ａ断面図
【図４】  同電気掃除機の吸込具の上面図
【図５】  図３のＢ−Ｂ断面図
【図６】  図３のＣ部拡大図
【図７】  本発明の実施例２を示す電気掃除機の手元ハンドル部の断面図
【図８】  図７のＥ−Ｅ断面図
【図９】  同電気掃除機のスタンド収納の状態図
【図１０】  本発明の実施例３を示す電気掃除機のホース接続部の上面図
【図１１】  図１０のＦ−Ｆ断面図
【図１２】  本発明の実施例４を示す電気掃除機の吸込具の中央断面図
【図１３】  他の実施例を示す電気掃除機の吸込具接続部の中央断面図
【図１４】  本発明の実施例５を示す電気掃除機の吸込具の中央断面図
【図１５】  他の実施例を示す電気掃除機の吸込具接続部の中央断面図
【図１６】  従来の電気掃除機の吸込具を示す分解斜視図
【符号の説明】
１    掃除機本体
２    集塵室
３    電動送風機
４    ホース
５    手元ハンドル
６    パイプ
７    延長管
８    吸込具
９    吸込具本体
１０  接続部
１１  吸込口
１２  吸塵通路
１３  回転ブラシ
１４  駆動モーター
１５  起毛布
１６  ローラー
１７  第１の連結体
１８  第２の連結体
１９  蛇腹ホース
２０  上部材
２１  下部材
２２  吸込通路
２３  中間部材
２４  回動受け部
２５  回動部材
２６  連結部
２７  曲がり部
２８  腕部
２９  傾動軸
３０  上カバー体
３１  下カバー体
３２  傾動受け部
３３  ピアノ線
３４  本体接続部
３５  接続部
３６  第１の連結体
３７  第２の連結体
３８  蛇腹ホース
３９  回動部材
４０  連結部
４１  腕部
４２  傾動軸
４３  上カバー体
４４  下カバー体
４５  傾動受け部
４６  回路基板
４７  接続部
５０  第１の連結体
５１  第２の連結体
５２  蛇腹ホース
５３  連結部
５４  腕部
５５  傾動軸
５６  左カバー体
５７  右カバー体
５８  傾動受け部
５９  フランジ部
６０  直管のパイプ
６１  シート
６２  可とう性チューブ体
６３  可とう性シート
６４  リング
【図１】
0004513197.tif 000002
【図２】
0004513197.tif 000003
【図３】
0004513197.tif 000004
【図４】
0004513197.tif 000005
【図５】
0004513197.tif 000006
【図６】
0004513197.tif 000007
【図７】
0004513197.tif 000008
【図８】
0004513197.tif 000009
【図９】
0004513197.tif 000010
【図１０】
0004513197.tif 000011
【図１１】
0004513197.tif 000012
【図１２】
0004513197.tif 000013
【図１３】
0004513197.tif 000014
【図１４】
0004513197.tif 000015
【図１５】
0004513197.tif 000016
【図１６】
0004513197.tif 000017